【手続補正書】
【提出日】平成26年8月27日(2014.8.27)
【手続補正１】
【補正対象書類名】明細書
【補正対象項目名】全文
【補正方法】変更
【補正の内容】
【発明の詳細な説明】
【発明の名称】携帯端末装置
【技術分野】
【０００１】
この発明は携帯端末装置に関する。
【背景技術】
【０００２】
この発明の背景技術としては、表示装置が配置されている表面と異なる背面又は側面に、受話部と送話部とを配置した携帯端末装置が知られている（例えば、特許文献１参照）。
【先行技術文献】
【特許文献】
【０００３】
【特許文献１】特開２００３−１８２６５号公報
【発明の概要】
【発明が解決しようとする課題】
【０００４】
ところで、このような携帯端末装置では、着信を受けたとき、表面の表示装置にて相手を確認した後、端末装置を背面又は側面へひっくり返して通話するが、端末装置をひっくり返すという操作と手間によって、操作性が劣るという問題がある。この発明はこのような事情を考慮してなされたもので、裏面にも表示装置を設けると共に、端末装置の設置状態を検出するセンサを設け、そのセンサの出力に基づいて使用者が通話動作をし易いように表面又は裏面の表示装置を選択して着信情報を表示するようにした携帯端末装置を提供するものである。
【課題を解決するための手段】
【０００５】
この発明は、無線信号を送受信する無線通信部と、受話部と、送話部と、第１および第２表示部と、第１および第２操作部と、無線通信部が無線信号を受信したとき着信情報を第１又は第２表示部に表示すると共に、第１又は第２操作部の出力を受けて受信信号を音声信号に変換して受話部に出力させると共に送話部からの音声信号を電気信号に変換して無線通信部へ出力する制御部と、無線通信部と制御部とを収容する筐体と、筐体の設置状況を検出するセンサとを備え、筐体は、表面に第１表示部と第１操作部を、裏面に第２表示部と第２操作部と受話部と送話部を設置し、制御部は、前記センサの出力を受けて、使用者が通話動作をし易いように第１又は第２表示部を選択して前記着信情報を表示する携帯端末装置を提供するものである。
【発明の効果】
【０００６】
この発明によれば、制御部は筐体の設置状況に応じて、使用者が通話動作をし易いように第１又は第２表示部を選択して着信情報を表示するので、使用者にとって使い勝手の良い携帯端末装置が提供される。
【図面の簡単な説明】
【０００７】
【図１】図１はこの発明の携帯端末装置の外観を示す斜視図である。
【図２】図２は図１に示す携帯端末装置の制御回路を示すブロック図である。
【図３】図３は図２に示す制御回路の動作を示フローチャートである。
【発明を実施するための形態】
【０００８】
この発明による携帯端末装置は、無線信号を送受信する無線通信部と、受話部と、送話部と、第１および第２表示部と、第１および第２操作部と、無線通信部が無線信号を受信したとき着信情報を第１又は第２表示部に表示すると共に、第１又は第２操作部の出力を受けて受信信号を音声信号に変換して受話部に出力させると共に送話部からの音声信号を電気信号に変換して無線通信部へ出力する制御部と、無線通信部と制御部とを収容する筐体と、筐体の設置状況を検出するセンサとを備え、筐体は、表面に第１表示部と第１操作部を、裏面に第２表示部と第２操作部と受話部と送話部を設置し、制御部は、前記センサの出力を受けて、使用者が通話動作をし易いように第１又は第２表示部を選択して前記着信情報を表示することを特徴とする。
【０００９】
前記センサは、筐体の姿勢を検出する加速度センサであってもよい。
前記センサが前記加速度センサと、筐体の設置場所の明るさを検出する照度センサとを備えてもよい。
【００１０】
第１および第２表示部が液晶表示パネルであり、第１および第２操作部が第１および第２表示部の表面にそれぞれ設置されたタッチパネルであってもよい。
【００１１】
また、携帯端末装置が前記センサを備えない場合には、制御部は、着信情報を常に第１および第２表示部の両方に表示するようにすればよい。これによって、使用者は使い勝手のよい方から着信情報を確認して通話することができる。
【００１２】
以下、図面に示す実施形態に基づいてこの発明を詳述する。
図１はこの発明による携帯端末装置を示す斜視図である。
同図（ａ）に示すように携帯端末装置の本体１の筐体２は、表面３に第１表示部４を備える。また、同図（ｂ）に示すように、筐体２は、裏面５に第２表示部６と、受話部７と、送話部８を備える。なお、第１および第２表示部４，６はそれぞれ液晶表示パネルからなると共に、それぞれの表面にタッチパネルからなる第１操作部９と第２操作部１０を備える。
また、受話部７と送話部８は、それぞれスピーカとマイクロホンから構成される。
【００１３】
図２は図１に示す携帯端末装置の制御回路を示すブロック図である。
同図に示すように、携帯端末装置は、アンテナ１１を介して無線信号を送受信する無線通信部１２と、受話部（スピーカ）７と、送話部（マイクロホン）８と、第１表示部４（液晶表示パネル）４および第２表示部（液晶表示パネル）６と、第１操作部（タッチパネル）９および第２操作部（タッチパネル）１０と、制御部１５を備える。
【００１４】
制御部１５は、無線通信部１２が無線信号を受信したときに着信情報（相手先情報、例えば氏名、電話番号）を、表示制御部１４を介して第１表示部４又は第２表示部６に表示する。
【００１５】
そして、第１操作部９又は第２操作部１０の出力を受けて受信信号を音声処理部１３を介して音声信号に変換して受話部７に出力させると共に送話部８からの音声信号を音声処理部１３を介して電気信号に変換して無線通信部１２へ出力する。
【００１６】
さらに、携帯端末装置は、無線通信部１２と制御部１５とを収容する筐体２（図１）を備える。また、筐体２は、内部に筐体の設置状況を検出するセンサ、つまり加速度センサ１６および照度センサ１７を備える。
【００１７】
制御部１５は、加速度センサ１６および照度センサ１７の出力を受けて、使用者が通話動作をし易いように第１表示部４又は第２表示部６を選択して着信情報を表示するようになっている。
【００１８】
ここで、制御部１５はＣＰＵ，ＲＯＭ，ＲＡＭからなるマイクロコンピュータを備え、照度センサ１７には、フォトダイオードやフォトトランジスタが用いられ、加速度センサ１６には、重力加速度を含む加速度を検出する市販のセンサが用いられる。
【００１９】
このような構成における動作を図３に示すフローチャートを用いて説明する。
図３に示すように、ステップＳ１に置いて、電源をオンにして着信を待機する。着信が音や振動で使用者に通知されると（ステップＳ２）、照度センサ１７と加速度センサ１６が検出を行う（ステップＳ３，Ｓ４）。
【００２０】
環境の照度が所定値以下で、かつ、携帯端末装置が移動中か傾いている、つまり、使用者が携帯端末装置をポケット又はカバンの中に入れていると判定されると（ステップＳ５）、裏面５の第２表示部６に着信情報（相手の氏名や電話番号）が表示される（ステップＳ６）。
【００２１】
使用者は、ポケット又はカバンの中から、光っている表示面（裏面５）、を上にして携帯端末装置を取り出し、第２表示部６に表示された着信情報を確認する。そして、第２操作部（タッチパネル）１０によって受話の開始操作を行う（ステップＳ７）。
【００２２】
同時に、裏面５を顔に近づけ受話部７と送話部８をそれぞれ耳と口の位置に対応させる。通話が行われ（ステップＳ８）、やがて通話が終了して使用者が第２操作部１０によって通話終了操作を行うと（ステップＳ９）、通話は終了し（ステップＳ１０）、ルーチンはステップＳ１に戻る。
【００２３】
また、ステップＳ５において、照度センサ１７と加速度センサ１６の出力から使用者が携帯端末装置を、ポケットやカバンの中ではなく、明るい静止した場所に、例えば机の上に、水平に設置していると判定されると、ルーチンはステップＳ１１へ進む。
【００２４】
そして、加速度センサ１６の出力から携帯端末装置が上を向いていると判定されると、表面３の第１表示部４に着信情報が表示される（ステップＳ１２）。使用者は上を向いている表示面（第１表示部４）の表示から着信情報を直ちに確認する。
【００２５】
そして、携帯端末装置をとり上げ、第１操作部（タッチパネル）９によって受話の開始操作を行う（ステップＳ１３）と同時に、裏面５を顔に近づけ、受話部７と送話部８をそれぞれ耳と口の位置に対応させる。そして、通話が行われる（ステップＳ８）。その後の動作は前述の通りである。
【００２６】
また、ステップＳ１１において、携帯端末装置が下を向いていると判定されると、裏面５の第２表示部６に着信情報が表示される（ステップＳ６）。使用者は上を向いている裏面５の表示面（第２表示部６）の表示から着信情報を直ちに確認する。
【００２７】
そして、携帯端末装置をとり上げ、第２操作部１０によって受話の開始操作を行う（ステップＳ７）と同時に、裏面５を顔に近づけ受話部７と送話部８をそれぞれ耳と口の位置に対応させる。そして、通話が行われる。その後の動作は前述の通りである。
【００２８】
なお、ステップＳ７において使用者が第２操作部（タッチパネル）１０によって受話の開始操作を行うとき、第２操作部（タッチパネル）１０の操作は指を接触させて行うのではなく、使用者の頬をタッチパネルに接触させて行うようにしてもよい。それによって操作がさらに迅速、かつ、簡便に行われる。
【００２９】
また、ステップ１２において使用者が携帯端末装置をとり上げ、第１表示部４によって、着信を確認したのち、第１操作部によって受話の開始操作を行うとき、裏面にひっくり返す動作を加速度センサ１６に検知させることによって、受話動作として処理してもよい。それにより操作がより迅速かつ簡便に行われる。
【符号の説明】
【００３０】
１    本体
２    筐体
３    表面
４    第１表示部
５    裏面
６    第２表示部
７    受話部
８    送話部
９    第１操作部
１０    第２操作部
１１    アンテナ
１２    無線通信部
１３    音声処理部
１４    表示制御部
１５    制御部
１６    加速度センサ
１７    照度センサ
【手続補正２】
【補正対象書類名】特許請求の範囲
【補正対象項目名】全文
【補正方法】変更
【補正の内容】
【特許請求の範囲】
【請求項１】
無線信号を送受信する無線通信部と、受話部と、送話部と、第１および第２表示部と、第１および第２操作部と、無線通信部が無線信号を受信したとき着信情報を第１又は第２表示部に表示すると共に、第１又は第２操作部の出力を受けて受信信号を音声信号に変換して受話部に出力させると共に送話部からの音声信号を電気信号に変換して無線通信部へ出力する制御部と、無線通信部と制御部とを収容する筐体と、筐体の設置状況を検出するセンサとを備え、筐体は、表面に第１表示部と第１操作部を、裏面に第２表示部と第２操作部と受話部と送話部を設置し、制御部は、前記センサの出力を受けて、使用者が通話動作をし易いように第１又は第２表示部を選択して前記着信情報を表示する携帯端末装置。
【請求項２】
前記センサが筐体の姿勢を検出する加速度センサである請求項１記載の携帯端末装置。
【請求項３】
前記センサが前記加速度センサと、筐体の設置場所の明るさを検出する照度センサとを備える請求項２記載の携帯端末装置。
【請求項４】
第１および第２表示部が液晶表示パネルであり、第１および第２操作部が第１および第２表示部の表面にそれぞれ設置されたタッチパネルである請求項１記載の携帯端末装置。